(57)【要約】【課題】  利用者がディスプレイの表示画面側にフラットパネルスピーカを搭載した携帯情報端末に耳を当てて音声情報を聞く際、困惑することなく容易に耳を当てることができる使い勝手に優れた携帯情報端末、その方法およびプログラムを提供する。【解決手段】  ＬＣＤ４０の表示画面４４側に配置された板状部材５２をフラットパネルスピーカ駆動部５４からの音声信号に基づいて振動させて音声情報を出力するフラットパネルスピーカ５０を搭載する携帯情報端末１０において、ＬＣＤ４０の表示画面４４中の所定位置に、携帯情報端末１０を利用する利用者が自らの耳を当てる位置として認識することが可能な耳当位置情報Ａを表示する。【選択図】      図３
2006135858.tif 000002
【特許請求の範囲】
【請求項１】
ディスプレイの表示画面側に配置された板状部材を音声信号に基づいて振動させて音声情報を出力するフラットパネルスピーカを搭載する携帯情報端末であって、
前記ディスプレイの表示画面中の所定位置に、この携帯情報端末を利用する利用者が自らの耳を当てる位置として認識することが可能な耳当位置情報を表示する表示制御手段を有することを特徴とする携帯情報端末。
【請求項２】
所定イベントの発生を検出するイベント検出手段をさらに備え、前記表示制御手段は、前記イベント検出手段の検出結果に基づいて前記耳当位置情報の表示制御を行うことを特徴とする請求項１記載の携帯情報端末。
【請求項３】
前記イベント検出手段が着信有りを検出した際、前記表示制御手段が前記耳当位置情報の表示をオンとすることを特徴とする請求項２記載の携帯情報端末。
【請求項４】
通話を開始させるためのスイッチをさらに備え、
前記イベント検出手段がこのスイッチが操作されたことを検出した際、前記表示制御手段が前記耳当位置情報の表示をオンとすることを特徴とする請求項２記載の携帯情報端末。
【請求項５】
通話を終了させるためのスイッチをさらに備え、
前記イベント検出手段がこのスイッチが操作されたことを検出した際、前記表示制御手段が前記耳当位置情報の表示をオフとすることを特徴とする請求項３または４記載の携帯情報端末。
【請求項６】
前記表示画面中において前記フラットパネルスピーカの音が最もよく聞こえる位置に、前記表示制御手段が前記耳当位置情報を表示することを特徴とする請求項１〜５のいずれか１項に記載の携帯情報端末。
【請求項７】
前記音が最も良く聞こえる位置を示す位置情報を外部の装置から入力する入力手段と、入力した前記位置情報を記憶する記憶手段とをさらに備え、
前記表示制御手段が、前記記憶手段に格納された前記位置情報を読み出し、読み出した前記位置情報で示される前記表示画面中の位置に、前記耳当位置情報を表示することを特徴とする請求項６記載の携帯情報端末。
【請求項８】
前記表示制御手段が、前記耳当位置情報を表示するか否かを選択することができる機能をさらに備えることを特徴とする請求項１〜７のいずれか１項に記載の携帯情報端末。
【請求項９】
ディスプレイの表示画面側に配置された板状部材を音声信号に基づいて振動させて音声情報を出力するフラットパネルスピーカを搭載する携帯情報端末の表示方法であって、
前記ディスプレイの表示画面中の所定位置に、この携帯情報端末を利用する利用者が自らの耳を当てる位置として認識することが可能な耳当位置情報を表示するようにしたことを特徴とする携帯情報端末の表示方法。
【請求項１０】
ディスプレイの表示画面側に配置された板状部材を音声信号に基づいて振動させて音声情報を出力するフラットパネルスピーカを搭載する携帯情報端末の表示方法であって、
前記ディスプレイの表示画面中において前記フラットパネルスピーカの音が最もよく聞こえる位置に、この携帯情報端末を利用する利用者が自らの耳を当てる位置として認識することが可能な耳当位置情報を表示するようにしたことを特徴とする携帯情報端末の表示方法。
【請求項１１】
ディスプレイの表示画面側に配置された板状部材を音声信号に基づいて振動させて音声情報を出力するフラットパネルスピーカを搭載する携帯情報端末の表示プログラムであって、
前記ディスプレイの表示画面中の所定位置に、この携帯情報端末を利用する利用者が自らの耳を当てる位置として認識することが可能な耳当位置情報を表示する機能をコンピュータに実現させるための携帯情報端末の表示プログラム。
【請求項１２】
ディスプレイの表示画面側に配置された板状部材を音声信号に基づいて振動させて音声情報を出力するフラットパネルスピーカを搭載する携帯情報端末の表示プログラムであって、
前記ディスプレイの表示画面中において前記フラットパネルスピーカの音が最もよく聞こえる位置に、この携帯情報端末を利用する利用者が自らの耳を当てる位置として認識することが可能な耳当位置情報を表示する機能をコンピュータに実現させるための携帯情報端末の表示プログラム。
【発明の詳細な説明】
【技術分野】
【０００１】
本発明は、携帯電話やＰＨＳ等の携帯情報端末、その表示制御方法およびプログラムに関し、特に、ディスプレイの表示画面側に配置された板状部材を音声信号に基づいて振動させ音声情報を出力するフラットパネルスピーカを搭載する携帯情報端末、その表示制御方法およびプログラムに関する。
【背景技術】
【０００２】
従来から、図８に示すように、文字や画像等の視覚的情報を表示するディスプレイ１と、通話中の相手の声、留守番メッセージ、あるいはボイスメモ等の音声情報を出力するレシーバ２とを備える携帯情報端末、例えば、携帯電話３が広く用いられている。
【０００３】
一方、近年、携帯電話やＰＨＳ（Personal Handyphone System）等の携帯情報端末は、通話機能の他に、メール、カメラ、ゲーム機器等で使用される頻度が増し、これに伴い市場からはディスプレイの大画面化の要請を受けている。
【０００４】
この大画面化の要請に応える技術として、特許文献１に開示された技術を挙げることができる。この技術は、携帯情報端末等の電子装置本体の所定箇所に配置されたディスプレイの前面に透明な板状部材を配置し、この板状部材を音声信号に応じて振動させることにより音声情報を出力するものである。すなわち、この技術を用いた携帯情報端末は、図８に示す従来の携帯電話３のレシーバ２が不要となるため、ディスプレイ１をレシーバ２のスペース分だけ大きくすることが可能となり、従って、前述した大画面化の要請に応えることが可能となる。
【０００５】
【特許文献１】特開２００２−１６４９７７号公報（特許請求の範囲）
【発明の開示】
【発明が解決しようとする課題】
【０００６】
ところで、このようなディスプレイ全体から音が聞こえるように構成し、レシーバを不要とした携帯電話においては、利用者が携帯電話に耳を当てて音声を聞く場合、例えば、相手と通話する場合、従来のように携帯電話３の上端部に設けられたレシーバ２ではなく、ディスプレイに直接耳を当てて相手の声を聞くのが普通である。
【０００７】
ところが、ディスプレイに直接耳を当てて音を聞くという使い方を知らない利用者、あるいは図８に示すようなレシーバ２が機体の上端部に設けられた従来の携帯電話３の使用に慣れた利用者は、このような携帯電話を使う場合、ディスプレイではなく従来レシーバがあった位置、すなわち、携帯電話の上端部に耳を当ててしまう可能性がある。この場合、相手の声が十分に聞こえない等の問題が起こりうる。
【０００８】
さらに、ディスプレイは、図８に示す従来の携帯電話３のレシーバ２に比してかなり大きいので、ディスプレイに直接耳を当てて音を聞くことを知っている利用者も、ディスプレイ中のどの位置に耳を当てればよいのか、困惑する可能性が十分に予測される。この場合、耳を当てる位置を探す動作に時間を費やすあまりに通話の開始が遅れる等の問題が起こりうる。
【０００９】
いずれにせよ、特許文献１に示すようなディスプレイ全体から音が聞こえる構成を採用し、レシーバを不要とした携帯電話は、通話中の相手の声、留守番メッセージ、あるいはボイスメモ等の音声情報を聞く際に非常に困惑するという、使い勝手上の問題を抱えている。
【００１０】
本発明は、ディスプレイの表示画面側に配置された板状部材を音声信号に基づいて振動させ音声情報を出力するフラットパネルスピーカを搭載した携帯情報端末における従来の難点を解決するためになされたものであり、利用者が携帯情報端末に耳を当てて音声情報を聞く際、困惑することなく容易に耳を当てることができる使い勝手に優れた携帯情報端末、その方法およびプログラムを提供することを目的とする。
【課題を解決するための手段】
【００１１】
本発明の携帯情報端末は、ディスプレイの表示画面側に配置された板状部材を音声信号に基づいて振動させて音声情報を出力するフラットパネルスピーカを搭載する携帯情報端末であって、
前記ディスプレイの表示画面中の所定位置に、この携帯情報端末を利用する利用者が自らの耳を当てる位置として認識することが可能な耳当位置情報を表示する表示制御手段を有する。
【００１２】
この場合、所定イベントの発生を検出するイベント検出手段をさらに備え、前記表示制御手段は、前記イベント検出手段の検出結果に基づいて前記耳当位置情報の表示制御を行うようにしてもよい。
【００１３】
また、前記イベント検出手段が着信有りを検出した際、前記表示制御手段が前記耳当位置情報の表示をオンとするようにしてもよい。
【００１４】
また、通話を開始させるためのスイッチをさらに備え、前記イベント検出手段がこのスイッチが操作されたことを検出した際、前記表示制御手段が前記耳当位置情報の表示をオンとするようにしてもよい。
【００１５】
また、通話を終了させるためのスイッチをさらに備え、前記イベント検出手段がこのスイッチが操作されたことを検出した際、前記表示制御手段が前記耳当位置情報の表示をオフとするようにしてもよい。
【００１６】
また、前記表示画面中において前記フラットパネルスピーカの音が最もよく聞こえる位置に、前記表示制御手段が前記耳当位置情報を表示する構成であってもよい。
【００１７】
また、前記音が最も良く聞こえる位置を示す位置情報を外部の装置から入力する入力手段と、入力した前記位置情報を記憶する記憶手段とをさらに備え、
前記表示制御手段が、前記記憶手段に格納された前記位置情報を読み出し、読み出した前記位置情報で示される前記表示画面中の位置に、前記耳当位置情報を表示するように構成することもできる。
【００１８】
また、前記表示制御手段が、前記耳当位置情報を表示するか否かを選択することができる機能をさらに備えてもよい。
【００１９】
本発明の第１の携帯情報端末の表示方法は、ディスプレイの表示画面側に配置された板状部材を音声信号に基づいて振動させて音声情報を出力するフラットパネルスピーカを搭載する携帯情報端末の表示方法であって、
前記ディスプレイの表示画面中の所定位置に、この携帯情報端末を利用する利用者が自らの耳を当てる位置として認識することが可能な耳当位置情報を表示する。
【００２０】
本発明の第２の携帯情報端末の表示方法は、ディスプレイの表示画面側に配置された板状部材を音声信号に基づいて振動させて音声情報を出力するフラットパネルスピーカを搭載する携帯情報端末の表示方法であって、
前記ディスプレイの表示画面中において前記フラットパネルスピーカの音が最もよく聞こえる位置に、この携帯情報端末を利用する利用者が自らの耳を当てる位置として認識することが可能な耳当位置情報を表示する。
【００２１】
本発明の第１の携帯情報端末の表示プログラムは、ディスプレイの表示画面側に配置された板状部材を音声信号に基づいて振動させて音声情報を出力するフラットパネルスピーカを搭載する携帯情報端末の表示プログラムであって、
前記ディスプレイの表示画面中の所定位置に、この携帯情報端末を利用する利用者が自らの耳を当てる位置として認識することが可能な耳当位置情報を表示する機能をコンピュータに実現させる。
【００２２】
本発明の第２の携帯情報端末の表示プログラムは、ディスプレイの表示画面側に配置された板状部材を音声信号に基づいて振動させて音声情報を出力するフラットパネルスピーカを搭載する携帯情報端末の表示プログラムであって、
前記ディスプレイの表示画面中において前記フラットパネルスピーカの音が最もよく聞こえる位置に、この携帯情報端末を利用する利用者が自らの耳を当てる位置として認識することが可能な耳当位置情報を表示する機能をコンピュータに実現させる。
【発明の効果】
【００２３】
本発明は、ディスプレイの表示画面側に配置された板状部材を音声信号に基づいて振動させて音声情報を出力するフラットパネルスピーカを搭載する携帯情報端末において、前記ディスプレイの表示画面中の所定位置に、この携帯情報端末を利用する利用者が自らの耳を当てる位置として認識することが可能な耳当位置情報を表示するようにした。これにより、利用者がこのような携帯情報端末に耳を当てて音声情報を聞く際、困惑することなく容易に耳を当てることができ、携帯情報端末の使い勝手を著しく向上させることができる。
【発明を実施するための最良の形態】
【００２４】
本発明の最良の実施の形態について図面を参照して詳細に説明する。
【００２５】
図１は、本実施の形態の携帯情報端末１０の構成ブロック図を示す。携帯情報端末１０は、制御部１２（表示制御手段）と、無線部１４（イベント検出手段）と、操作部１６（イベント検出手段）と、記憶部１８と、ディスプレイ・スピーカ部２０と、音声信号処理部２２と、調整データ入力部２４（入力手段）とから基本的に構成される。
【００２６】
制御部１２は、ＣＰＵ（Central Processing Unit）を備え、記憶部１８に記憶されたプログラムを実行し、端末１０全体を制御する。
【００２７】
無線部１４は、アンテナ３０を備え、このアンテナ３０を介して電波の送受信を行うとともに、各種イベントの発生（例えば、着信有や通話終了）を示す信号を制御部１２に出力する。
【００２８】
操作部１６は、電源／終了ボタン、通話開始ボタン、通話終了ボタン、電話番号や文字入力用のテンキーダイヤルボタン、あるいはメニュー項目の選択や決定を行うマルチダイヤルボタン等を備える。操作部１６は、これらのボタンの入力結果や、各ボタンの操作パターンから導かれるイベント発生結果（例えば、送信メール画面の表示開始や電話番号の表示終了等）を示す信号を制御部１２に出力する。
【００２９】
記憶部１８は、制御部１２を構成するＣＰＵがアクセスすることが可能なＲＯＭ、ＲＡＭ等の半導体メモリデバイスで構成され、それらには実行プログラム、住所録あるいは着信メロディ等のデータなどが格納されている。さらに、必要に応じて、画像や音声等の大容量データを記憶するメモリカード等の記録メディアを読み書きするための専用のスロットが設けられる。
【００３０】
また、記憶部１８には、図２に示す耳当位置情報データ１００が格納される。耳当位置情報データ１００は、制御部１２によって読み出され、ＬＣＤ４０の表示画面４４に表示される耳当位置情報Ａ（図３参照）を表示するためのデータである。耳当位置情報Ａとは、利用者が後述するディスプレイ・スピーカ部２０に耳を当てる際に、ＬＣＤ４０のどの部分に耳を当てればよいのかを認識することが可能な情報である。耳当位置情報データ１００は、表示位置データ１０２と、表示内容データ１０４とから構成される。表示位置データ１０２は、耳当位置情報Ａを表示画面４４のどの位置に表示するかを示すデータであり、表示内容データ１０４は、耳当位置情報Ａをどのような内容にするかを示すデータである。図３は、表示画面４４における耳当位置情報Ａの具体的な表示例である。この場合、表示位置データ１０２には表示画面４４における表示開始座標Ｐ１と表示終了座標Ｐ２とが格納され、表示内容データ１０４には座標Ｐ１と座標Ｐ２とで形成される矩形領域Ｗ内に表示される内容、すなわち「ここに耳をあててね」という文字データが格納される。
【００３１】
ディスプレイ・スピーカ部２０は、ＬＣＤ（Liquid Crystal Display：液晶ディスプレイ）４０と、フラットパネルスピーカ５０とから構成される。
【００３２】
ＬＣＤ４０は、文字や画像等の視覚的情報を表示する表示装置であって、携帯情報端末１０本体の所定位置に配設される。ＬＣＤ４０は、ＬＣＤドライバ４２を介して制御部１２によって表示制御される。
【００３３】
フラットパネルスピーカ５０は、ＬＣＤ４０の表示画面４４側に配設されたアクリル板等の透明な板状部材５２と、板状部材５２の所定部位（図１においては、左右両端の各中央部）に配設され、この板状部材５２をフラットパネルスピーカ駆動部５４からの音声信号に応じて振動させて音声情報を出力する圧電素子等のアクチュエータ５６とから基本的に構成される。なお、ＬＣＤ４０と板状部材５２との間には、両者が直接ぶつからないようにするための図示しないクッション部材が挿入されている。
【００３４】
すなわち、ディスプレイ・スピーカ部２０は、音声信号に基づいて振動することにより音声情報を出力する板状部材５２を、ＬＣＤ４０の表示画面４４側に蜜着させているので、その音声情報はＬＣＤ４０から直接出力されるといってよい。従って、利用者が携帯情報端末１０に耳を当てて音声を聞く場合、例えば、通話中の相手の声を聞く場合、ＬＣＤ４０に直接耳を当てるのが普通である。
【００３５】
音声信号処理部２２は、以下の３つの機能を備える。
【００３６】
（１）レシーバ機能：アンテナ３０によって電波として受信された後、無線部１４で復調されたリアルタイムなデジタル音声信号、および記憶部１８に格納されている留守番メッセージ、伝言メモ等のリアルタイムではないデジタル音声信号をアナログ音声信号に変換し、フラットパネルスピーカ駆動部５４に出力する。フラットパネルスピーカ駆動部５４は、このアナログ音声信号に基づいて、アクチュエータ５６を振動させることにより、板状部材５２から音声情報を出力する。すなわち、レシーバ機能は、相手と会話する時、留守番メッセージやサービスガイダンスを聞く特、伝言メモ（携帯電話に録音された相手の音声）を聞く時等、通常他人に聞かれたくない音声情報であってスピーカからの大きな音で聞くにはふさわしくない内容の音声情報を聞く時に作動する機能である。
【００３７】
（２）スピーカ機能：（１）以外の音声出力機能、すなわち、他人に聞かれても特に支障のない音声情報であってスピーカから大きな音を出す音声情報（例えば、着信メロディやボタン確認音等）を聞く時に作動する機能である。動作としては、（１）と略同様で、記憶部１８に格納されている着信メロディ等のデジタル音声信号をアナログ音声信号に変換し、フラットパネルスピーカ駆動部５４に出力する。
【００３８】
なお、（１）および（２）は、音声情報出力手段としてはフラットパネルスピーカ５０を共用しているが、両者ではゲイン（音量）等の処理が異なるので、音声信号処理部２２は、（１）（２）専用の処理回路を各々備え、モードによって切り替えている。
【００３９】
（３）マイク音声処理機能：マイク７０から入力したアナログ音声信号をデジタル音声信号に変換し、変換したデジタル音声信号を無線部１４に出力する。無線部１４は、このデジタル音声信号を変調してアンテナ３０から電波として放射する。
【００４０】
調整データ入力部２４は、工場等における出荷前の検査工程において、ＲＳ２３２ＣやＵＳＢ（Universal Serial Bus）等の専用ケーブル３２を介して調整用外部端末３４と接続され、調整用外部端末３４から各種の調整データを取得する。
【００４１】
本実施の形態の携帯情報端末１０は、基本的には以上のように構成されるものであり、次に、この携帯情報端末１０の動作について説明する。なお、以下に説明する動作を実行するためのプログラムは記憶部１８に格納され、制御部１２によって読み出されたのち実行される。利用者が携帯情報端末１０に耳を当てて音声情報を聞く場合、すなわち、フラットパネルスピーカ２０をレシーバとして使用する場合の一例として、相手から着信があった場合を例に挙げる。図４は、その場合の利用者の操作手順を含む携帯情報端末１０の動作手順を示すフローチャートである。
【００４２】
なお、以下に説明する動作を行う前提として、記憶部１８内の耳当位置情報データ１００を構成する表示位置データ１０２には、着信中表示や電波状態表示等の重要な表示の邪魔にならない表示画面４４内の所定位置を示す表示開始座標Ｐ１と表示終了座標Ｐ２が設定される（本実施の形態では、表示画面４４の中央部分よりやや下側に表示する場合を例に挙げる）。さらに、耳当位置情報データ１００を構成する表示内容データ１０４には、図３と同様に「ここに耳をあててね」という文字データが設定されているものとする。
【００４３】
先ず、携帯情報端末１０は待ち受け状態にある。このとき、制御部１２は表示画面４４を図５に示すような待ち受けの画面表示とする（ステップＳ１）。
【００４４】
制御部１２は、無線部１４から着信有を示す信号が入力されているか否かチェックし（ステップＳ２）、着信有を示す信号が入力されている場合、図６に示すように、表示画面４４における着信メッセージＢ表示をオンにし（ステップＳ３）、さらに、相手の電話番号Ｃ表示をオンにする（ステップＳ４）。
【００４５】
次いで、制御部１２は、記憶部１８の耳当位置情報データ１００にアクセスして表示位置データ１０２および表示内容データ１０４を取得し、表示位置データ１０２で指定される表示画面４４上の所定範囲内に表示内容データ１０４の表示内容を表示することで耳当位置情報Ａを表示する（ステップＳ５）。
【００４６】
ここで、制御部１２は、記憶部１８にアクセスし、利用者によってあらかじめ選択された着信メロディのデジタル音声信号を取得し、音声信号処理部２２へ出力する。音声信号処理部２２は、フラットパネルスピーカ５０をスピーカとして利用するための処理回路を選択し、この処理回路に前記デジタル音声信号を出力する。前記処理回路は、デジタル音声信号をアナログ音声信号に変換し、変換したアナログ音声信号をフラットパネルスピーカ駆動部５４に出力する。フラットパネルスピーカ駆動部５４は、このアナログ音声信号に基づいてアクチュエータ５６を振動させることにより、板状部材５２、すなわち、フラットパネルスピーカ５０から前記着信メロディを出力する。この場合、制御部１２は、必要に応じて、図示しないバイブレータやＬＥＤ（Light Emitting Diode）をあわせて駆動し、利用者に着信があった旨を報知する（ステップＳ６）。
【００４７】
次いで、制御部１２は、操作部１６から通話開始ボタンが押されたことを示す信号が入力されているか否かをチェックする（ステップＳ７）。
【００４８】
通話開始ボタンが押されたことを示す信号が入力されている場合、制御部１２は、図７に示すように、耳当位置情報Ａ表示および相手の電話番号Ｃ表示をオンにした状態で着信メッセージＢの表示をオフにして通話中であることを示す（ステップＳ８）。
【００４９】
次いで、制御部１６は、携帯情報端末１０を通話ができる状態とする（ステップＳ９）。具体的には、無線部１４、マイク７０、音声信号処理部２２、フラットパネルスピーカ５０を動作可能とすることで、相手の声を聞くと同時に、自分の声を相手に伝えることができるようにする。
【００５０】
制御部１２は、通話と並行して、通話が終了したか否かをチェックする（ステップＳ１０）。具体的には、制御部１２は、操作部１６から通話終了ボタンが押されたことを示す信号が入力されているか否かをチェックするとともに、無線部１４から通話終了を示す信号が入力されているか否かをチェックし、通話が終了したと判断した場合、通話を終了する（ステップＳ１１）。
【００５１】
制御部１２は、相手の電話番号Ｃ表示をオフにした後、ステップＳ１の処理（待ち受け可能な状態にする処理）から再度実行する。
【００５２】
以上説明したように、本実施の形態の携帯情報端末１０は、相手から着信を受けたときから通話が終了するまでの間、ＬＣＤ４０の表示画面４４上に耳当位置情報Ａを表示するよう構成した。これにより、利用者が、フラットパネルスピーカ５０を搭載した本実施の形態の如き携帯情報端末１０に耳を当てて音声情報を聞く際、この耳当位置情報Ａに従い迷うことなく容易に耳を当てることが可能となる。例えば、ＬＣＤ４０に直接耳を当てて音声情報を聞くという使い方を知らない利用者や筐体の上端部に専用のレシーバを設けた従来型の携帯情報端末の使用に慣れた利用者も容易にこの携帯情報端末１０を使用することが可能となる。すなわち、携帯情報端末１０の使い勝手を著しく向上させることが可能となる。
【００５３】
尚、上記実施の形態では、耳当位置情報Ａの表示内容を図３、図６および図７に示すように、「ここに耳をあててね」とう表示内容にしているが、もちろんこれに限定されるものではない。他の文字列で表現してもよいことはもちろんのこと、文字情報である必要もない。例えば、耳やイヤホン等を示す記号情報であってもよいし、耳当位置を背景と別の色にするようにしてもよい。要するに、利用者が耳当位置を認識できればそれで充分であって、その具体的な表示内容は問わない。
【００５４】
上記実施の形態では、耳当位置情報Ａを表示画面４４の中央部よりやや下側に表示する場合の例を挙げたが、もちろんこれに限定されるものではなく、表示画面４４内であれば、表示位置を任意に設定することができる。例えば、耳当位置情報Ａをフラットパネルスピーカ５０の音を最もよく聞くことができる場所に設定することも可能である。これについて、以下具体的に説明する。
【００５５】
先ず、出荷前の検査工程において、携帯情報端末１０と音量を測定する測定器等を備える調整用外部端末３４とをケーブル３２で接続する。そして、この測定器を用いてフラットパネルスピーカ５０全域の音量分布を測定する。前記測定器は、その音量分布の中で音量が最も多い領域（あるいは、音が最も鮮明に聞こえる領域）を特定し、その具体的な座標データを調整用外部端末３４に送信する。さらに、調整用外部端末３４は、この座標データをケーブル３２および調整データ入力部２４を介して制御部１２に送信する。制御部１２は、受信した座標データを記憶部１８に格納された耳当位置情報データ１００に格納し、その後、必要な場面（具体的には、図４のステップＳ５の処理実行時）で、その座標で特定される領域内に耳当位置情報Ａを表示すればよい。このようにすることにより、利用者は、通話中の相手の声、留守番メッセージやボイスメッセージ等の音声情報をより鮮明に聞くことができる。
【００５６】
また、上記実施の形態では、図４を用いて説明したとおり、耳当位置情報Ａを、相手から着信を受けたときから通話が終了するまでの間、常に表示する場合を例に挙げて説明しているが、これに限定されるものではない。例えば、着信時ではなく、通話開始ボタンが押されたタイミングで耳当位置情報Ａを表示するようにしてもよい。
【００５７】
さらに、耳当位置情報Ａの表示を様々なイベントの発生に対応させて、こまめにオン／オフするようにしてもよい。通話中、利用者は携帯情報端末１０を耳から離して通話以外の作業を行うことある。例えば、操作部１６を構成する各種ボタンを操作して、記憶部１８に格納されている電話番号等の情報や送信メール画面を表示画面４４上に表示させることがある。ここで、イベントの具体例として、送信メール画面を表示する場合を例に挙げて説明する。操作部１６から最初のイベント発生結果（送信メール画面表示開始）を受信した制御部１２は、ＬＣＤドライバ４２を制御して表示画面４４における耳当位置情報Ａの表示をオフにする。次いで、操作部１６から次のイベント発生結果（送信メール画面表示終了）を受信した制御部１２は、ＬＣＤドライバ４２を制御して表示画面４４に耳当位置情報Ａを再び表示する。このようにすることにより、耳当位置情報Ａの表示が他の作業、すなわち、送信メール画面の表示作業の遂行の妨げになることがない。
【００５８】
ところで、筐体略中央部にヒンジ機構を有し２つに折り畳むことが可能な携帯情報端末が広く知られている。このような携帯情報端末の中には、折り畳んだ状態で着信を受けた場合、筐体を開くと同時に自動的に通話に移行するタイプのものがある。このような携帯情報端末の場合は、例えば、図１に示すように、筐体の開閉状態を検出する開閉検出デバイス１１０（イベント検出手段）を新たに備え、制御部１２がこの開閉検出デバイス１１０からイベント発生結果（この場合は、筐体が開いたことを示す信号）を受信した時点で耳当位置情報Ａを表示するようにすればよい。
【００５９】
尚、前記イベントは上記説明したものに限定されず、携帯情報端末の処理全般に亘ることはもちろんである。例えば、通話中にデジタルカメラの画像やＴＶの中継画像を見る場合に耳当位置情報Ａの表示をオフにしてもよい。あるいは、有料ウェブサイトからダウンロードされて前記記録メディアに記録された音楽、記憶部１８に記憶されている留守番メッセージやボイスメモ、メッセージセンター（メールサーバ）から送信されるガイダンス情報、あるいはメール等の文字情報に対応した音声情報を、携帯情報端末１０に耳を当てて聞く場合（すなわち、フラットパネルスピーカ５０をレシーバとして使用する場合）、耳当位置情報Ａを表示するようにしてもよい。
【００６０】
また、耳当位置情報Ａを表示するか否かを選択できるようにしてもよい。例えば、携帯情報端末１０の動作モードを変更するメニュー内に耳当位置情報Ａを表示するか否かを選択することができる機能を追加する。そして、「表示する」を選択した場合は耳当位置情報Ａを常に表示するようにし、一方「表示しない」を選択した場合は耳当位置情報Ａを表示しないようにする。このようにすることにより、耳を当てる位置を既に把握し耳当位置情報Ａの表示を不要と感じる人が煩わしさを感じることがなくて好適である。
【００６１】
尚、以上説明した実施の形態および各種応用例は、携帯電話、ＰＨＳ、ＰＤＡ（Personal Digital Assistance）等の携帯情報端末全般に広く適用することができる。さらに、その場合、携帯情報端末の筐体構造にも限定されず、一体型のもの、ヒンジ機構を搭載した折り畳み式や回転式のもの等あらゆる構造の携帯情報端末に広く適用することができる。
【図面の簡単な説明】
【００６２】
【図１】本実施の形態の携帯情報端末の構成ブロック図である。
【図２】記憶部に格納される耳当位置情報データのフォーマット図である。
【図３】表示画面における耳当位置情報の具体的表示例である。
【図４】相手から着信があった場合の携帯情報端末の動作手順を示すフローチャートである。
【図５】携帯情報端末が待ち受け状態の表示画面の表示例である。
【図６】携帯情報端末が着信した状態の表示画面の表示例である。
【図７】携帯情報端末が通話中の状態の表示画面の表示例である。
【図８】フラットパネルスピーカを採用せず、レシーバを別途設けた構成の従来の携帯電話の平面図である。
【符号の説明】
【００６３】
１０    携帯情報端末
１２    制御部
１８    記憶部
２０    ディスプレイ・スピーカ部
２２    音声信号処理部
２４    調整データ入力部
３４    調整用外部端末
４０    ＬＣＤ
４４    表示画面
５０    フラットパネルスピーカ
５２    板状部材
５６    アクチュエータ
１００  耳当位置情報データ
１１０  開閉検出デバイス
Ａ      耳当位置情報
【図１】
2006135858.tif 000003
【図２】
2006135858.tif 000004
【図３】
2006135858.tif 000005
【図４】
2006135858.tif 000006
【図５】
2006135858.tif 000007
【図６】
2006135858.tif 000008
【図７】
2006135858.tif 000009
【図８】
2006135858.tif 000010